(57)【要約】      （修正有）【課題】ユーザの要望に応えた情報を表示装置に掲示できる情報掲示システムを提供する。【解決手段】ホストサーバは、情報提供者から提供された情報に基づいてウェブページを作成する。ホストサーバは、表示装置が見えるエリア内にあるユーザ端末を検出して、ユーザ端末にウェブページを送信する。ユーザ端末は、ウェブページ中の見たいコンテンツを選択して、ホストサーバにリクエストする。ホストサーバは、リクエストの多いコンテンツに基づいて、複数の掲示情報を生成する。ホストサーバは、リクエストの多少に応じて掲示情報の表示内容を決め、表示装置に掲示情報を送信する。表示装置は、表示内容にしたがって、複数の掲示情報を表示する。【選択図】図４
2009086411.tif 000002
【特許請求の範囲】
【請求項１】
掲示情報を表示する表示装置と、掲示情報を表示装置に送信するホストサーバと、ホストサーバと通信可能なユーザ端末とを備え、ホストサーバは、表示装置が見える位置にあるユーザ端末に複数の情報を提示し、ユーザ端末は、複数の情報の中から所望の情報を選択し、ホストサーバは、ユーザ端末によって選択された情報に基づいて掲示情報を生成することを特徴とする情報掲示システム。
【請求項２】
ホストサーバは、特定の条件を満たした情報から優先的に掲示情報を生成することを特徴とする請求項１記載の情報掲示システム。
【請求項３】
ホストサーバは、ユーザ端末によるリクエストが多い情報を掲示情報とすることを特徴とする請求項２記載の情報掲示システム。
【請求項４】
ホストサーバは、複数の掲示情報を生成し、リクエストの多少に応じて掲示情報の表示位置を決めることを特徴とする請求項３記載の情報掲示システム。
【請求項５】
ホストサーバは、複数の掲示情報を生成し、リクエストが多いほど掲示情報の表示サイズを大きくすることを特徴とする請求項３記載の情報掲示システム。
【請求項６】
ホストサーバは、掲示情報の表示サイズに応じて表示色を決めることを特徴とする請求項５記載の情報掲示システム。
【請求項７】
ホストサーバは、特定のユーザ端末が選択した情報を優先的に掲示情報とすることを特徴とする請求項２載の情報掲示システム。
【請求項８】
ホストサーバは、情報提供端末から提供された情報に基づいてウェブページを作成して、ユーザ端末にウェブページを提供することを特徴とする請求項１または２記載の情報掲示システム。
【請求項９】
ユーザ端末は、ホストサーバから掲示情報を取得することを特徴とする請求項３記載の情報掲示システム。
【請求項１０】
ユーザ端末は、視認可能なように掲示情報を出力することを特徴とする請求項９記載の情報掲示システム。
【請求項１１】
表示装置は、無線通信を行い、ホストサーバは、表示装置との無線通信が可能なエリアにあるユーザ端末に情報を送信することを特徴とする請求項１〜１０のいずれかに記載の情報掲示システム。
【発明の詳細な説明】
【技術分野】
【０００１】
本発明は、屋外に設置された表示装置にユーザの要望に応じた情報を表示する情報掲示システムに関する。
【背景技術】
【０００２】
屋外に掲示されるポスターなどの紙媒体の広告は、表示内容を逐次変更することができない。そのため、ユーザからの情報発信には対応できない。そこで、ユーザの要望に合わせて表示内容を入れ替えることができる掲示として、情報提供システムが実現されている。
【０００３】
特許文献１に記載された情報提供システムでは、ユーザの携帯端末装置により、情報を検索すると、表示装置は、携帯端末装置からその転送情報を受信する。表示装置は、転送情報に基づいてデータベースから関連する情報を取得して、表示する。これによって、屋外の表示装置にユーザの要望した情報を表示することができる。
【特許文献１】特開２００７−４８１０６号公報
【発明の開示】
【発明が解決しようとする課題】
【０００４】
上記の情報提供システムでは、ユーザが必要とする個人的な情報が表示される。しかし、商品販売者等の情報提供者は、商品情報やニュースといった情報が表示されることを望む。ユーザの要望する情報と情報提供者が提供する情報との連関を図ることにより、情報提供者が提供する情報の中から、ユーザは興味のある情報や関心のある情報を見ることができ、両者の利害が一致する。
【０００５】
そこで、本発明は、上記に鑑み、ユーザの要望に応えた情報を表示装置に掲示できる情報掲示システムの提供を目的とする。
【課題を解決するための手段】
【０００６】
本発明は、掲示情報を表示する表示装置と、掲示情報を表示装置に送信するホストサーバと、ホストサーバと通信可能なユーザ端末とを備え、ホストサーバは、表示装置が見える位置にあるユーザ端末に複数の情報を提示し、ユーザ端末は、複数の情報の中から所望の情報を選択し、ホストサーバは、ユーザ端末によって選択された情報に基づいて掲示情報を生成するものである。
【０００７】
ホストサーバからユーザ端末に、複数の情報が送信されると、ユーザ端末は、複数の情報を表示する。ユーザは、提供された複数の情報の中から知りたい情報をリクエストする。表示装置は、リクエストされた情報に関する掲示情報を表示する。ユーザは、興味のある情報や関心のある情報を大画面で見ることができる。
【０００８】
ここで、ホストサーバは、情報提供端末から提供された情報に基づいてウェブページを作成して、ユーザ端末にウェブページを提供する。ウェブページを利用することにより、ユーザに複数の情報が提示される。
【０００９】
ホストサーバは、特定の条件を満たした情報から優先的に掲示情報を生成する。ホストサーバが、複数のユーザ端末からのリクエストに応じて、複数の掲示情報を生成するとき、特定の条件を満たす情報は必ず掲示情報に採用される。
【００１０】
特定の条件として、リクエストの多少が判断される。ホストサーバは、ユーザ端末によるリクエストが多い情報を掲示情報とする。あるいは、特定のユーザ端末が選択した情報を優先的に掲示情報とする。
【００１１】
ホストサーバは、複数の掲示情報を生成し、リクエストの多少に応じて掲示情報の表示位置を決める。リクエストが多い掲示情報は、例えば画面の中央といったように、目立つ位置に表示される。リクエストの少ない掲示情報は、画面の端に表示される。
【００１２】
また、ホストサーバは、リクエストが多いほど掲示情報の表示サイズを大きくする。リクエストの少ない掲示情報の表示サイズは小さくされる。表示サイズが大きいほど掲示情報は目立つので、多くのユーザにとって、掲示情報が見やすくなる。
【００１３】
さらに、ホストサーバは、掲示情報の表示サイズに応じて表示色を決める。リクエストの多い掲示情報は目立つ色で表示され、リクエストの少ない掲示情報は目立たない色で表示される。これによっても、要望の多い掲示情報が見やすくなる。
【００１４】
ユーザ端末は、ホストサーバから掲示情報を取得する。ユーザは、リクエストした情報に関する掲示情報を得ることによって、詳細な情報を知ることができる。そして、ユーザ端末は、視認可能なように掲示情報を画面に表示したり、印刷したりして、出力する。
【００１５】
ところで、ホストサーバは、表示装置が見える位置にあるユーザ端末を検出する必要がある。そこで、表示装置は、無線通信機能を有し、ホストサーバは、表示装置との無線通信が可能なエリアにあるユーザ端末に情報を送信する。表示装置とユーザ端末とは、近距離の無線通信を行う。無線通信可能なエリア内にユーザ端末があれば、ユーザ端末を携帯するユーザは、表示装置を視認できる。そのため、ユーザは、表示装置に表示される掲示情報を見ることができる。
【発明の効果】
【００１６】
本発明によると、情報提供者から提供された情報の中から、ユーザの要望に応じた情報が掲示情報として表示される。したはって、ユーザは、必要な情報を取得でき、情報提供者は、見せたい情報を提供できる。これにより、両者にメリットを供することができる情報掲示システムを実現することができる。
【発明を実施するための最良の形態】
【００１７】
本実施形態の情報掲示システムを図１、２に示す。情報掲示システムは、表示装置１、ユーザ端末２、ホストサーバ３によって構成され、これらがネットワーク４を通じて通信可能に接続される。ネットワーク４は、ＬＡＮ、ＷＡＮあるいはインターネット等である。
【００１８】
表示装置１は、駅前等の公衆の目に触れる場所に設置され、電子掲示板を運営するサービス会社によって管理される。表示装置１は、無線ＬＡＮ、特定小電力無線、ブルートゥース（登録商標）等の近距離の無線通信機能を有している。
【００１９】
ユーザ端末２は、表示部、操作部を備えた通信端末装置であり、例えば携帯電話、ＰＨＳ、携帯情報端末（ＰＤＡ）等である。ユーザ端末２は、このサービス会社に登録された会員であるユーザによって携帯される。また、ユーザ端末２は、無線ＬＡＮ、特定小電力無線、ブルートゥース（登録商標）等の近距離の無線通信機能を有し、表示装置と無線通信可能とされる。
【００２０】
ホストサーバ３は、一般的なコンピュータであり、サービス会社に設置される。ホストサーバ３は、広告、ニュース等の掲示情報を生成して、掲示情報を表示装置１に送信する。表示装置１は、ホストサーバ３に制御され、掲示情報を表示する。
【００２１】
情報掲示システムのネットワーク４には、登録された情報提供端末５が接続されている。情報提供端末５は、会社、商店等の情報提供者が所有するコンピュータであり、情報提供者とサービス会社との契約に基づいて、情報提供端末５はホストサーバ３に登録される。情報提供端末５は、インターネットを通じてホストサーバ３にアクセスして、掲示情報の元となる情報をホストサーバ３にアップロードする。提供される情報としては、例えばスーパーマーケットの特売品、一面の新聞記事、催しの案内などである。
【００２２】
ホストサーバ３は、情報提供者から提供された複数の情報をユーザ端末２に提示し、ユーザ端末２によって選択された情報に基づいて複数の掲示情報を生成する。そして、ホストサーバ３は、複数の掲示情報の表示形態をそれぞれ決め、掲示情報を表示装置１に送信する。
【００２３】
これらを実行するために、図３に示すように、ホストサーバ３の制御装置６は、ウェブページ提供部１０、データ管理部１１、データ発信部１２、データ収集部１３、掲示情報生成部１４、表示箇所決定部１５、表示サイズ決定部１６、表示色決定部１７を備えている。
【００２４】
ウェブページ提供部１０は、情報提供端末５から送信された複数の情報に基づいてウェブページを作成する。情報提供者が、表示装置１に表示したい文字情報や絵情報をホストサーバ３に提供すると、ウェブページ提供部１０は、これらの情報をハードディスク装置等の記憶部に保存してから、各情報に応じたコンテンツを作成し、複数のコンテンツを編集することによってウェブページを作成する。ウェブページには、複数のコンテンツが掲載され、見たい情報を選択するための入力欄が形成される。
【００２５】
データ発信部１２は、ユーザ端末２にウェブページを利用して、情報を提示する。すなわち、データ発信部１２は、ユーザ端末２にメッセージを送信して、このメッセージにしたがってアクセスしてきたユーザ端末２を認証してからウェブページを送信する。ユーザ端末２の表示部には、ウェブページに掲載されたコンテンツが表示される。
【００２６】
データ収集部１３は、ウェブページを通じてユーザ端末２から送信されてきた要求データを収集する。すなわち、ユーザ端末２は、提示されたコンテンツの中から、ユーザが見たい情報に対応するコンテンツを選択すると、選択した情報の要求データをホストサーバ３に送信する。データ収集部１３は、ユーザ端末２からの要求データを受信して、メモリに記憶する。
【００２７】
データ管理部１１は、要求データに基づき、ユーザおよびユーザが選択した情報を関連付けた管理テーブルを作成して、管理テーブルを記憶部に記憶して管理する。
【００２８】
掲示情報生成部１４は、各ユーザ端末２からの要求データに基づいて、提供された情報の中から掲示する情報を決める。すなわち、掲示情報生成部１４は、要求データを集計して、リストされた情報毎に所定時間単位でリクエストの統計を取り、リクエストの多い情報を掲示情報として採用する。
【００２９】
表示箇所決定部１５は、複数の掲示情報を表示するとき、表示装置１の画面における各掲示情報の表示位置を決める。すなわち、表示箇所決定部１５は、リクエストの多い掲示情報ほど目立つ位置に配置する。最も目立つ画面の中央には、最もリクエストの多い掲示情報が表示される。中央位置の上下左右に、リクエストの多い掲示情報が表示される。なお、最も目立つ位置は、表示装置１の設置場所に応じて異なり、上下左右のいずれか一側となる場合もあり得る。
【００３０】
表示サイズ決定部１６は、表示する掲示情報の表示サイズを決める。すなわち、表示サイズ決定部１６は、リクエストの多い掲示情報ほど大きいサイズにする。最もリクエストの多い掲示情報が最大サイズとされる。したがって、画面の中央に大きい表示サイズの掲示情報が表示され、その周囲に小サイズの掲示情報が表示される。
【００３１】
表示色決定部１７は、掲示情報のリクエストに応じて表示色を決める。すなわち、表示色決定部１７は、リクエストの多い掲示情報ほど目立つ色にする。表示サイズの大きい中央位置は目立つ色、例えば赤色で表示され、この周囲は青色で表示される。
【００３２】
ここで、掲示情報を決めるとき、ホストサーバ３の制御装置６は、表示装置１が見える位置にあるユーザ端末２を対象として、情報を提示する。対象となるユーザ端末２は、表示装置１との無線通信が可能なエリア内にあるものである。表示装置１が備える無線通信では、通信可能な距離は、特定小電力無線の場合、２００ｍとされる。この距離であれば、ユーザは、大型の表示装置１を視認できる。なお、表示装置１が有する無線通信機能は、設置場所に応じて適宜選択され、エリアが狭ければ、通信可能な距離が数１０ｍの無線通信を利用するとよい。
【００３３】
したがって、ホストサーバ３の制御装置６は、表示装置１を制御して、無線通信を行う。エリア内にあるユーザ端末２は、表示装置１からの呼出に応答する。制御装置６は、表示装置１を通じて無線通信可能なユーザ端末２を検出して、掲示情報を決める対象のユーザ端末２を特定する。
【００３４】
そして、データ発信部１２は、特定されたユーザ端末２に対して、表示装置１を通じて無線ＬＡＮ、特定小電力無線等による無線通信を行い、ウェブページを送信する。このとき、データ発信部１２は、まずユーザ端末２にウェブページのＵＲＬを含むメッセージを送信する。
【００３５】
ユーザ端末２では、ＵＲＬがわかると、内蔵のブラウザが、インターネットを通じてＵＲＬにアクセスする。データ発信部１２は、アクセスのあったユーザ端末２の要求に応答して、ウェブページを送信する。
【００３６】
なお、データ発信部１２は、ＵＲＬを送信するとき、電子メールを利用してもよい。データ発信部１２は、ウェブページのＵＲＬにリンクしたメールを作成して、特定されたユーザ端末２のメールアドレス宛に送信する。ユーザ端末２は、電子メールを受信して、メール中のＵＲＬにアクセスする。データ発信部１２は、ユーザ端末の要求に応答して、ウェブページを送信する。
【００３７】
次に、掲示情報を表示するときのホストサーバ３の動作を図４にしたがって説明する。情報提供者の情報提供端末５は、ホストサーバ３に対して、表示装置１に掲示してほしい文字、画像等による情報をアップロードする。ホストサーバ３のホームページ提供部１０は、複数の情報提供端末５から提供された情報に基づいてウェブページを作成する（Ｓ４０１）。
【００３８】
データ管理部１１は、提供された複数の情報をリストにした管理テーブルを作成する（Ｓ４０２）。データ発信部１２は、掲示情報を決める対象として特定されたユーザ端末２、すなわち表示装置１が見える位置にあるユーザ端末２にメッセージを送信する。ユーザ端末２は、インターネットを通じて、メッセージ中のＵＲＬにアクセスする。データ発信部１２は、アクセスしてきたユーザ端末２を認証後、ウェブページを送信する（Ｓ４０３）。ウェブページが送信されると、データ収集部１３は、ユーザ端末２からの要求データを収集するために、タイマをスタートする（Ｓ４０４）。
【００３９】
データ収集部１３は、所定時間、例えば１時間の間、要求データの収集を行う（Ｓ４０５〜４０７）。この間に、ユーザは、ユーザ端末２に表示されたウェブページを見て、掲示してほしい情報を選択する。ユーザ端末２は、要求データをホストサーバ３に送信する。データ収集部１３が、ユーザ端末２からの要求データを受け取ると、データ管理部１１は、ユーザを特定して、ユーザを要求データに対応する情報に関連付けて記憶し、管理テーブルを更新する。
【００４０】
掲示情報生成部１４は、要求データを集計して、リクエストの多い情報のベスト１０を選ぶ。そして、掲示情報生成部１４は、選ばれた情報に基づいて複数の掲示情報を作成する（Ｓ４０８）。さらに、表示箇所決定部１５、表示サイズ決定部１６および表示色決定部１７は、リクエストの多少に応じて、各掲示情報の表示位置、表示サイズおよび表示色といった表示内容を決める（Ｓ４０９）。
【００４１】
ホストサーバ３の制御装置６は、ユーザのリクエストに応じて複数の掲示情報を生成し、表示装置１に掲示情報を送信して、表示するように指示する（Ｓ４１０）。表示装置１は、決められた表示内容にしたがって複数の掲示情報を画面に表示する。
【００４２】
表示装置１を視認可能なエリア内にいるユーザは、表示装置１の画面を見て、要求した情報の詳細を確認することができる。したがって、ユーザは、興味のある情報や関心のある情報を詳しく知ることができる。情報提供者は、表示装置１に情報が表示されることにより、商品やサービスのコマーシャル効果を得ることができる。
【００４３】
そして、ユーザ端末２は、掲示情報をホストサーバ３から取得できる。すなわち、ユーザ端末は２、インターネットを通じてホストサーバ３にアクセスして、所望の掲示情報を要求する。ホストサーバ３の制御装置６は、掲示情報をユーザ端末２に送信する。ユーザ端末２は、掲示情報をダウンロードして、内蔵メモリあるいはメモリカードやＵＳＢメモリ等の外付けのメモリに記憶する。これによって、ユーザは、必要な情報を取得でき、ユーザ端末２を利用して、掲示情報を出力することが可能となる。
【００４４】
ユーザ端末２の画面に表示することにより、掲示情報を視認可能なように出力できる。また、ユーザ端末２が印刷部を備えている場合、掲示情報を印刷して出力できる。例えば、出力した掲示情報を提示することにより、クーポンとして利用することができる。
【００４５】
なお、本発明は、上記実施形態に限定されるものではなく、本発明の範囲内で上記実施形態に多くの修正および変更を加え得ることは勿論である。ユーザ端末がＧＰＳを搭載しているとき、ＧＰＳを利用して、ユーザ端末の位置を検出できる。ホストサーバの制御装置は、定期的にユーザ端末と通信を行い、各ユーザ端末の位置情報を取得する。そして、表示装置に近いエリアにあるユーザ端末を特定する。
【００４６】
また、ユーザ端末が携帯電話の場合、携帯電話と通信を行う基地局からユーザ端末の位置を検出できる。ホストサーバは、表示装置の設置場所をカバーする基地局と通信可能なユーザ端末を検出する。このようにして検出したユーザ端末が掲示情報を決める対象のユーザ端末とされる。
【００４７】
ホストサーバは、掲示情報を随時更新して、最新の掲示情報を表示できるようにする。すなわち、ホストサーバは、定期的にユーザ端末に情報を提示する。あるいは、新しいユーザ端末がエリア内に入ったことを検出すると、ユーザ端末に情報を提示する。そして、ユーザ端末からのリクエストに応じて、掲示情報を更新する。
【００４８】
複数のユーザ端末からリクエストを受け付けたとき、ホストサーバは、特定のユーザ端末からのリクエストを優先して、掲示情報を作成する。特定のユーザ端末は、予め設定されており、ホストサーバは、このユーザ端末からのリクエストを受け付けると、リクエストに応じた掲示情報を目立つように作成する。
【図面の簡単な説明】
【００４９】
【図１】本発明の情報掲示システムにおける表示装置の設置状況を示す図
【図２】情報掲示システムの概略構成を示す図
【図３】ホストサーバの制御ブロック図
【図４】掲示情報を表示するときのホストサーバの動作を示すフローチャート
【符号の説明】
【００５０】
１    表示装置
２    ユーザ端末
３    ホストサーバ
５    情報提供端末
１０    ウェブページ提供部
１１    データ管理部
１２    データ発信部
１３    データ収集部
１４    掲示情報生成部
１５    表示箇所決定部
１６    表示サイズ決定部
１７    表示色決定部
【図１】
2009086411.tif 000003
【図２】
2009086411.tif 000004
【図３】
2009086411.tif 000005
【図４】
2009086411.tif 000006